(57)【要約】【課題】  メモリ地点登録を忘れることを防止し、また、登録した地点の情報を容易に探し出すことを可能にする。【解決手段】  本発明のカーナビゲーション装置１は、メモリ地点登録機能を備え、登録しておいたメモリ地点を参照することにより目的地を容易に入力できるように構成したものにおいて、車両が設定時間以上駐車した後、前記車両の電源がオンされたときに、前記車両の現在地点をメモリ地点登録するようにユーザーに促す手段を備えるように構成したものである。【選択図】  図２
2005249465.tif 000002
【特許請求の範囲】
【請求項１】
メモリ地点登録機能を備え、登録しておいたメモリ地点を参照することにより目的地を容易に入力できるように構成したカーナビゲーション装置において、
車両が設定時間以上駐車した後、前記車両の電源がオンされたときに、前記車両の現在地点をメモリ地点登録するようにユーザーに促す手段を備えたことを特徴とするカーナビゲーション装置。
【請求項２】
前記車両の現在地点をメモリ地点登録するときに、登録時の名称の候補を、前記車両の現在地点の周辺情報からリストアップし、これら名称の候補の中から選択して登録可能なように構成したことを特徴とする請求項１記載のカーナビゲーション装置。
【請求項３】
前記車両の現在地点の周辺情報として、駐車場データベースの中に格納されている地点情報を用いるように構成されていることを特徴とする請求項２記載のカーナビゲーション装置。
【発明の詳細な説明】
【技術分野】
【０００１】
本発明は、メモリ地点登録機能を備えたカーナビゲーション装置に関する。
【背景技術】
【０００２】
カーナビゲーション装置において、メモリ地点登録を実行する場合、次の２つの方法が、従来より、使用されている。まず、１つ目の方法は、多数の地点情報（ＰＯＩ）が格納されている地図データベースを検索することにより、登録する地点を探し出し、この地点を表示してメモリ地点登録する方法である。２つ目の方法は、カーナビゲーション装置の表示装置の画面に表示されている地図において、現在地点またはその周辺等の所望の地点を直接指定してメモリ地点登録する方法である。
【０００３】
しかし、上記した２つの方法は、いずれもユーザーが自発的に操作して登録する方法であるため、カーナビゲーション装置に不慣れなユーザーや、カーナビゲーション装置をあまり使いこなせていないユーザーの場合、上記２つの方法で登録することはかなり困難であった。また、ユーザーは、自動車に乗車した後は、すぐに走り出すことが多いので、駐車した地点をメモリ地点登録したいと思っていても、登録作業を忘れてしまうことが多々あった。
【０００４】
このメモリ地点登録作業の忘れを防止する構成として、特許文献１に記載された装置がある。この装置においては、車両を停止させて、そのエンジンをオフした地点の情報（緯度経度等の位置情報）を履歴データとすると共に、これら履歴データを地点履歴メモリに順次自動的に登録するように構成されている。この構成によれば、メモリ地点登録作業を忘れることがない。
【特許文献１】特開２００１−１０８４６６号公報
【発明の開示】
【発明が解決しようとする課題】
【０００５】
しかし、上記特許文献１の構成では、ユーザーは、その場所を登録したか否かを、登録済み地点を確認するまでわからないという不具合がある。また、停車毎に、地点履歴メモリに登録していく構成であるので、頻繁に停車する同じ地点（自宅駐車場、勤務先駐車場）の履歴データで地点履歴メモリが埋め尽くされてしまい、古いデータが消されてしまったり、地点履歴メモリの中からユーザーが希望する地点のデータを探し出すことが困難になったりするという問題点があった。
【０００６】
更に、上記構成の場合、停車した場所の住所や、地図上の位置のみの情報で登録されるため、ユーザーが後から上記登録した地点（場所）を探そうとしても、上記地点の詳細情報（例えば施設名称（レストラン名や店名）や電話番号等の情報）がわからないため、探すことが困難であった。即ち、地点履歴メモリに登録した情報は、使用できない情報となってしまうことが多かった。
【０００７】
また、上記構成の場合、停車毎に、自動的に地点履歴メモリに登録していき、保存しておく期間を決めず、更に、設定件数だけ格納した後、登録の古い順に削除するように構成したとすると、過去の行き先を他の人が容易に調べることができてしまう。このため、プライバシの侵害が発生するおそれがあった。
そこで、本発明の目的は、メモリ地点登録を忘れることを防止でき、また、登録した地点の情報を容易に探し出すことができるなどの効果を得ることが可能なカーナビゲーション装置を提供するにある。
【課題を解決するための手段】
【０００８】
本発明のカーナビゲーション装置は、メモリ地点登録機能を備え、登録しておいたメモリ地点を参照することにより目的地を容易に入力できるように構成したものにおいて、車両が設定時間以上駐車した後、前記車両の電源がオンされたときに、前記車両の現在地点をメモリ地点登録するようにユーザーに促す手段を備えたところに特徴を有する。
この構成によれば、車両が設定時間以上駐車した後、車両の電源がオンされたときに、車両の現在地点をメモリ地点登録するようにユーザーに促すように構成したので、メモリ地点登録を忘れることを防止できる。また、通常のメモリ地点登録を行うので、登録した地点の情報を容易に探し出すことができる。
【０００９】
また、上記構成の場合、前記車両の現在地点をメモリ地点登録するときに、登録時の名称の候補を、前記車両の現在地点の周辺情報からリストアップし、これら名称の候補の中から選択して登録可能なように構成することが好ましい。
更に、前記車両の現在地点の周辺情報として、駐車場データベースの中に格納されている地点情報を用いるように構成することがより一層好ましい。
【発明を実施するための最良の形態】
【００１０】
以下、本発明の一実施例について、図面を参照しながら説明する。まず、図１は、本実施例のカーナビゲーション装置１の電気的構成を概略的に示すブロック図である。この図１に示すように、上記カーナビゲーション装置１は、制御回路２と、位置検出器３と、操作スイッチ群４と、キーポジション検出部５と、地図データ入力部６と、表示部７と、音声出力装置８と、外部メモリ９と、リモコンセンサ１０とから構成されている。
【００１１】
上記制御回路２は、カーナビゲーション装置１の動作全般を制御する機能を有しており、ＣＰＵ、ＲＯＭ、ＲＡＭ、Ｉ／Ｏ及びこれらを接続するバス（いずれも図示しない）を備えて構成されている。位置検出器３は、ＧＰＳ（Global Positioning System ）受信機１１と、ジャイロスコープ１２と、車速センサ１３と、地磁気センサ１４とから構成されている。位置検出器３は、上記４つのセンサ１１〜１４により互いに補間しながら車両の現在位置を検出するように構成されており、高精度の位置検出機能を有している。尚、位置検出精度をそれほど必要としない場合には、４つのセンサ１１〜１４のうちの何れかで（または複数のセンサの組み合わせで）位置検出器３を構成しても良い。また、車両のステアリングの回転センサや、ホイールの車輪センサ等を適宜組み合わせて位置検出器３を構成しても良い。
【００１２】
操作スイッチ群４は、表示部７の表示画面の上面に設けられたタッチスイッチ（タッチパネル）と、表示部７の周辺部に設けられたメカニカルなプッシュスイッチ（図示しない）等とから構成されている。キーポジション検出部５は、カーナビゲーション装置１が搭載されている自動車（車両）のイグニッションスイッチのキー位置（キーポジション）を検出することにより、エンジンのオン・オフ（即ち、電源のオン・オフ）を検出する機能を有している。
【００１３】
地図データ入力部６は、ＣＤ−ＲＯＭ、ＤＶＤ−ＲＯＭ、ＨＤＤ、メモリ等を読み取り可能な読取装置で構成されており、地図データベース６ａ、電話帳データベース６ｂ、駐車場データベース６ｃ等の各種データを入力するための装置である。
表示部７は、地図を表示するための例えばカラー液晶ディスプレイで構成されており、地図データ（道路データ、文字データ及び背景データ等）、自車位置マーク、誘導経路等の付加データ等を重ねて表示することが可能なように構成されている。音声出力装置８は、音声案内の各種のメッセージや操作音等を出力する機能を有している。
【００１４】
また、外部メモリ９は、メモリスティックやメモリカードや磁気テープ等の読取装置で構成されており、地図データや音楽データや映像データ等を入力するための装置である。尚、ユーザーは、図字しないリモコンを操作することにより、リモコンセンサ１０を介して制御回路２へ操作信号を与えるように構成されている。また、制御回路２は、図示しない通信装置（例えばＶＩＣＳ通信装置や、携帯電話機（専用の携帯電話端末や汎用の携帯電話機等）など）を介して外部の情報供給センタ（例えばＶＩＣＳセンタや種々の情報センタ等）との間でデータを送受信することができるように構成されている。
【００１５】
また、制御回路２は、現在位置（出発地）から目的地までの最適経路（誘導経路）を自動的に計算して設定する機能（経路計算機能）を備えており、自動的に最適経路を設定する方法としては、例えばダイクストラ法等を使用している。尚、目的地は、ユーザーが操作スイッチ群４やリモコンを操作して設定することが可能なように構成されている。そして、制御回路２は、表示部７に表示されている地図上に上記目的地までの最適経路（誘導経路）を重ねて表示する機能や、現在位置を上記地図上に位置付けるマップマッチング処理を実行する機能等を備えている。
【００１６】
次に、上記構成のカーナビゲーション装置１の作用、特には、ユーザーに対してメモリ地点登録を促す（案内する）制御の動作について、図２〜図６も参照して説明する。このうち、図２及び図３に示すフローチャートは、制御回路２の制御のうちのメモリ地点登録を促すとき、並びに、その後、メモリ地点登録を実行するときの部分制御の内容を示している。
【００１７】
まず、図２のステップＳ１において、車両の駐停車時間が設定時間（例えば１時間、即ち、ユーザーにより設定可能な一定時間）以上になったか否かが判断される。ここで、駐停車時間が設定時間以上になった場合、ステップＳ１にて「ＹＥＳ」へ進み、車両のエンジンが始動（オン）されたか否か、即ち、電源がオンされたか否かが判断される（ステップＳ２）。
【００１８】
この場合、キーポジション検出部５により自動車（車両）のイグニッションスイッチのキー位置（キーポジション）を検出し、該キーポジションが「ＡＣＣ」または「ＩＧＮ  ＯＮ」であれば、エンジンがオンされたと判断するように構成されている。
そして、ステップＳ２において、エンジンが始動されたと判断されたときには、「ＹＥＳ」へ進み、現在地（停車地点）をメモリ地点登録するように促す制御（処理）を実行するようになっている。具体的には、まず、上記現在地（停車地点）が既にメモリ地点登録された場所（即ち、過去にメモリ地点登録した場所）であるか否かを判断する（ステップＳ３）。
【００１９】
この場合、上記現在地（停車地点）を中心として例えば半径１００ｍの円内に既にメモリ地点登録された場所があるか否かを判断する。尚、半径１００ｍの円は、半径５０ｍの円でも良く、半径等は適宜決めれば良い。ここで、上記半径１００ｍの円内に既にメモリ地点登録された場所がある場合には、ステップＳ３にて「ＹＥＳ」へ進み、上記現在地（停車地点）のデータ等をクリアして（ステップＳ４）、この処理を終了する。
【００２０】
一方、上記半径１００ｍの円内に既にメモリ地点登録された場所がない場合には、上記現在地（停車地点）が、メモリ地点登録しない場所（即ち、後述するメモリ地点登録しないエリア）であるか否かの判定も実行するように構成されている。ここで、メモリ地点登録しない場所である場合も、ステップＳ３にて「ＹＥＳ」へ進み、上記ステップＳ４（データクリアの処理）を実行するように構成されている。
【００２１】
さて、上記半径１００ｍの円内に既にメモリ地点登録された場所がない場合であり、且つ、上記現在地（停車地点）がメモリ地点登録しない場所でない場合には、ステップＳ３にて「ＮＯ」へ進み、上記現在地（停車地点）、即ち、車両の現在地点をメモリ地点登録しますかというメッセージを表示部７に表示すると共に、ユーザーが応答するのを待つ（ステップＳ５）。尚、図６は、上記メッセージの表示例の一例を示す図である。即ち、制御回路２は、車両が設定時間以上駐車した後、車両の電源がオンされたときに、車両の現在地点をメモリ地点登録するようにユーザーに促す手段としての機能を有している。
【００２２】
さて、上記ステップＳ５において、ユーザーが登録しない（「いいえ」）と応答したときは、「ＮＯ」へ進み、上記現在地（停車地点）を登録しないエリア（地点）として登録するように構成されている（ステップＳ７）。そして、このメモリ地点登録しないエリアが、前述したメモリ地点登録しない場所となる。
また、上記ステップＳ５において、ユーザーが何の応答しない場合、即ち、上記メッセージを表示後、例えば３分が経過したとき、または、自動車（車両）の運転を開始したときには、「タイムアウト」へ進み、上記現在地（停車地点）を一時的にメモリ地点登録する（ステップＳ８）。この場合、メモリ地点の登録有効期限を例えば１週間程度とすることが好ましい。尚、上記１週間以外の適切な期間でも良い。
【００２３】
一方、上記ステップＳ５において、ユーザーが登録する（「はい」）と応答した場合は、「ＹＥＳ」へ進み、メモリ地点登録処理を実行する（ステップＳ６）。このメモリ地点登録処理については、図３のフローチャートに従って具体的に説明する。
この場合、まず、図３のステップＳ１０１において、上記現在地（停車地点）が駐車場データベース６ｃにあるか否か、即ち、上記現在地が駐車場データベース６ｃ内に登録されている駐車場の場所であるか否かを判断する。ここで、本実施例で使用している駐車場データベース６ｃの一例を、図４に示す。この駐車場データベース６ｃは、駐車場とその所有者または使用者を関連付けし、駐車場の位置情報と所有者または使用者の情報をリンクさせたデータベースである。尚、図４に示す駐車場データベース６ｃは、１つのデータベース１５であるが、これに限られるものではなく、例えば図５に示すように、駐車場データベース６ｃを２個のデータべース１６、１７から構成するようにしても良い。
【００２４】
さて、上記ステップＳ１０１において、上記現在地（停車地点）が駐車場データベース６ｃ内に登録されている駐車場の場所である場合、「ＹＥＳ」へ進み、その駐車場の所有者または使用者の候補の名称（即ち、地点名称情報）を確率の高い順にリストアップして表示する（ステップＳ１０２）。そして、ステップＳ１０３へ進み、上記現在地（停車地点）の位置情報から最寄のＰＯＩ（Point Of Interrest）、即ち、地点情報を現在地に近い順にリストアップして表示するようになっている。図７は、表示部７に、駐車場の所有者または使用者の候補の名称とＰＯＩとをリストアップした表示例である。
【００２５】
また、上記ステップＳ１０１において、上記現在地（停車地点）が駐車場データベース６ｃ内に登録されていない場所である場合には、「ＮＯ」へ進み、現在地（停車地点）の位置情報から最寄のＰＯＩ（Point Of Interrest）だけを現在地に近い順にリストアップして表示する（ステップＳ１０３）。
続いて、ステップＳ１０４へ進み、ユーザーによるメモリ地点登録方法の入力を待つ。この場合、メモリ地点登録方法としては、３つの方法、即ち、現在地（停車地点）の住所を登録する方法と、リストアップ表示されている駐車場の所有者または使用者の候補やＰＯＩ等の中から所望の１つを選択してメモリ地点登録する方法と、通常の登録処理（ユーザー自身が地点の名称や電話番号等を手操作で入力する方法）とがある。
【００２６】
さて、上記ステップＳ１０４において、ユーザーが現在の住所で登録（図７の画面において、「住所で登録」）を選択した場合、ステップＳ１０５へ進み、現在の住所でメモリ地点登録する。この場合、現在地（停車地点）の位置情報（緯度経度情報等）とその住所が登録されるように構成されている。
また、上記ステップＳ１０４において、ユーザーがリストアップ表示されている駐車場の所有者または使用者の候補やＰＯＩ等の中から所望の１つを選択した場合、ステップＳ１０６へ進み、選択された駐車場の所有者または使用者の候補またはＰＯＩがメモリ地点登録されるようになっている。この場合、現在地（停車地点）の位置情報（緯度経度情報等）と、上記選択された駐車場の所有者または使用者の候補（またはＰＯＩ）の情報、即ち、その候補の駐車場データベースに登録されている情報（例えば住所や電話番号やマップコード等）とが登録されるように構成されている。
【００２７】
また、上記ステップＳ１０４において、ユーザーが通常の登録処理（図７の画面において、「マニュアル登録」）を選択した場合は、ステップＳ１０７へ進み、ユーザーは周知（通常）の登録方法でメモリ地点登録を実行するようになっている。この場合、現在地（停車地点）の位置情報（緯度経度情報等）と、その住所、名称、電話番号、メモ等の情報（ユーザーがマニュアルで入力した情報）とが登録されるように構成されている。
【００２８】
このような構成の本実施例によれば、車両が設定時間以上駐車した後、車両の電源がオン（即ち、エンジンがオン）されたときに、車両の現在地点をメモリ地点登録するようにユーザーに促すように構成したので、ユーザーがメモリ地点登録作業を忘れることを防止できる。そして、上記実施例においては、通常のメモリ地点登録を行うので、登録した地点の情報を容易に探し出すことができる。
【００２９】
また、上記実施例の場合、車両の現在地点をメモリ地点登録するときに、登録時の名称の候補を、車両の現在地点の周辺情報からリストアップし、これら名称の候補の中から選択して登録可能なように構成したので、登録時の名称の入力作業が簡単になる。
更に、上記実施例では、車両の現在地点の周辺情報として、駐車場データベース６ｃの中に格納されている地点情報（例えば駐車場の所有者または使用者の名称や住所や電話番号やマップコード等の情報）を用いるように構成したので、メモリ地点登録した地点の情報が豊富になる。これにより、ユーザーが登録した地点の情報を検索する場合、より一層容易に探し出すことができる。
【図面の簡単な説明】
【００３０】
【図１】本発明の一実施例を示すカーナビゲーション装置のブロック図
【図２】フローチャート
【図３】フローチャート
【図４】駐車場データベースの一例を示す図
【図５】駐車場データベースの他の例を示す図
【図６】メモリ地点登録を案内する画面を示す図
【図７】メモリ地点登録を実行する画面を示す図
【符号の説明】
【００３１】
図面中、１はカーナビゲーション装置、２は制御回路、３は位置検出器、４は操作スイッチ群、５はキーポジション検出部、６は地図データ入力部、７は表示部を示す。
【図１】
2005249465.tif 000003
【図２】
2005249465.tif 000004
【図３】
2005249465.tif 000005
【図４】
2005249465.tif 000006
【図５】
2005249465.tif 000007
【図６】
2005249465.tif 000008
【図７】
2005249465.tif 000009